(57)【特許請求の範囲】
【請求項１】
歯科治療ユニットの所望の位置に配設された突起部に着脱自在に装着される根尖位置検出ユニットであって、該根尖位置検出ユニットは、前記突起部に係合される凹部を有する基体部と、該基体部に回動自在に取り付けられた表示部とからなることを特徴とする根尖位置検出ユニット。
【請求項２】
前記基体部は前記突起部に対して回動可能であり、前記表示部は、前記突起部に対して直角の軸のまわりに回動可能であることを特徴とする請求項１に記載の根尖位置検出ユニット。
【請求項３】
突起部を有する基台と、前記突起部に着脱自在にかつ回動可能に装着される基体部と、該基体部に前記基台の突起部に対して直角の軸のまわりに回動自在に取り付けられた表示部とからなることを特徴とする根尖位置検出ユニット。
【請求項４】
前記基台は磁石あるいは両面テープ或いは該基台から延長したアームによって歯科治療ユニットの所望の位置に固定可能であることを特徴とする請求項３に記載の根尖位置検出ユニット。
【請求項５】
前記基体部は根尖位置検出コードを巻取り収納するコード収納部を有することを特徴とする請求項１乃至４のいずれかに記載の根尖位置検出ユニット。
【発明の詳細な説明】
【０００１】
【発明の属する技術分野】
本発明は、根尖位置検出ユニット、より詳細には、歯科治療ユニットの所望の位置に着脱自在に装着できるようにした根尖位置検出ユニットに関する。
【０００２】
【従来の技術】
図２は、本発明による根尖位置検出ユニットが取り付けられる歯科治療ユニットの一例を説明するための全体構成図で、該歯科治療ユニットは、治療椅子１、スピットン２、給排水及びコントロールボックス３、無影灯４、インスツルメントホルダー５、インスツメルメント６、インスツルメントホース７、ワークテーブル８、アシスタント用インスツメントホルダー９等から成り、インスツルメントホルダー５には、歯科治療において使用する種々のインスツルメント６が収納されており、周知のように、歯科治療に当り、患者は椅子１に座り、頭を安頭台に固定して治療を受ける。治療中、術者は、治療椅子１を上下動、倒起動、傾斜動等させて、患者を治療しやすい姿勢にして治療を行う。
【０００３】
歯科治療に当り、術者は、治療椅子１を倒して、或いは、更に、椅子全体を傾斜、上下動させて治療しやすい状態にした後、患者の頭部後側或いは側部より治療を行うものであるが、その際、根管拡大等の作業が頻繁に行われる。すなわち、歯科治療においては、歯牙の根管を切削し根尖位置に達する位置の深さまで順次根管を拡大して根管内に薬物を挿入したり、あるいは、治療や洗浄を行い鋳造修復部を充填する等のことが頻繁に行われる。このような歯牙の根管拡大には、尖鋭な針状の根管ファイルが使用される。従来、ファイルは、電磁的な駆動装置により駆動されていた。例えば、モータ駆動されるハンドピースに装着されたファイルを回転運動しながら切削したり、回転運動に加えファイルの軸方向に振動する微振動を重畳させる複合運動方式を採用して切削の効率を高めること等が試みられていた。
【０００４】
図３は、根尖位置検出装置の一例を説明するための要部構成図で、図中、１０は根尖位置（又は根管長）測定ファイル、１１は測定電極端子、１２は対向電極端子、１３は測定電極端子１１に連通する測定電極端子用リード線、１４は口唇１５に引っかけられて使用される対向電極端子１２に連通する対向電極端子用リード線、２０は根尖位置（又は根管長）を測定しようとする歯牙、２１は根管、２２は口唇、３０は前記リード線１３，１４が接続される根尖位置測定装置、３１は根尖孔位置検出表示部で、周知のように、ファイル１０に測定電極端子１１を接触させた状態で、ファイル１０を根管２１内に挿入していった時の根尖位置検出表示部３１の指針位置よりファイル１０の先端が根尖位置に達したことを知り、その状態でストッパー１７を歯牙２０に当たる位置まで動かして口腔外に取り出し、ものさしでファイルの先端からストッパーまでの長さの測定をするものであるが、ファイル１０の先端が根尖位置に近づくと、根尖位置検出表示部３１の指針が振れ始めるので、これよりファイル先端１０が根尖位置に近づいたことを知ることができる（なお、根尖孔位置を電気的に検出する方法としては、特公昭６２−２１８７号公報をはじめ、多数の公報が公開されているので、その詳細については省略する）。
【０００５】
【発明が解決しようとする課題】
上述のように、歯科治療ユニット及び根尖位置検出装置は、周知であり、従来、根尖位置検出装置は、例えば、ワークテーブル８の上に置いて使用するのが一般的である。しかし、ワークテーブル８は、施術位置（患者の口腔）から遠く離れている場合が多く、作業が非常にしにくく、必ずしも、常に最良の場所であるとは限らない。
【０００６】
本発明は、上述のごとき実情に鑑みてなされたもので、根尖位置検出装置をその場合、場合によって術者の作業しやすい位置及び見やすい位置に配設し得るようにし、もって、根管拡大作業の能率化を図ることを目的としてなされたものである。
【０００７】
【課題を解決するための手段】
請求項１の発明は、歯科治療ユニットの所望の位置に配設された突起部に着脱自在に装着される根尖位置検出ユニットであって、該根尖位置検出ユニットは、前記突起部に係合される凹部を有する基体部と、該基体部に回動自在に取り付けられた表示部とからなることを特徴とするものである。
【０００８】
請求項２の発明は、請求項１の発明において、前記基体部は前記突起部に対して回動可能であり、前記表示部は、前記突起部に対して直角の軸のまわりに回動可能であることを特徴とするものである。
【０００９】
請求項３の発明は、突起部を有する基台と、前記突起部に着脱自在にかつ回動可能に装着される基体部と、該基体部に前記基台の突起部に対して直角の軸のまわりに回動自在に取り付けられた表示部とからなることを特徴とするものである。
【００１０】
請求項４の発明は、請求項３の発明において、前記基台は磁石あるいは両面テープ或いは該基台から延長したアームによって歯科治療ユニットの所望の位置に固定可能であることを特徴とするものである。
【００１１】
請求項５の発明は、請求項１乃至４のいずれかの発明において、前記基体部は根尖位置検出コードを巻取り収納するコード収納部を有することを特徴とするものである。
【００１２】
【発明の実施の形態】
図１は、本発明による根尖位置検出ユニットの使用例を説明するための要部構成図で、図１（Ａ）において、４１は歯科治療ユニットの所望の位置、好ましくは、アシスタントホルダ部、ワークテーブル上、或いは、治療椅子の側部等に設けられた突出部で、この突出部４１に、図１（Ｂ）に示すように、本発明による根尖位置検出ユニット５０の基体部５１に設けられた凹部５２が着脱自在に挿入され、好ましくは、該突起部４１が円柱に形成され、該円柱４１を中心に回動可能に取り付けられる。５３は表示部で、該表示部５３は、基体部５１に対して、例えば、６０°位の角度範囲で回動可能に取り付けられている。図１（Ｃ）は表示部５３を表面から見た図で、該表示部５３は、基体５１の回転軸Ｙ−Ｙに対して直角の軸Ｘ−Ｘを中心に回動可能に取り付けられている。なお、５４は根尖位置検出用のコード（図３に示したコード１３，１４，３３に相当）を巻取り収納するコード収納部である。また、５５はパワースイッチ、５６はアジャストスイッチを示す。
【００１３】
上述のように、本発明によれば、歯科治療ユニットの所望の位置に予め設けられた突起部に根尖位置検出ユニット５０を着脱自在に装着して使用することができるので、その場、その場で、一番作業のしやすい位置に装着して、しかも、一番見やすい位置に回動して使用することができるので、作業能率を格段に向上させることができる。なお、電源は、充電電池又は太陽電池を用い或いは歯科治療ユニット側からコードを介して受け取る。
【００１４】
以上には、歯科治療ユニットの所望の場所に予め突起部を設けておき、この突起部に、本発明による根尖位置検出ユニットを装着して使用する場合を例にして説明したが、図１（Ｄ）に示すように、突起部４１を有する基台４０を別体として設け、この基台４０を歯科治療ユニットの所望の位置に固定するようにし、この基台４０に設けられている突起部４１に前述のごとくして本発明による根尖位置検出ユニットを回動自在に装着するようにしてもよい。なお、基台４０の歯科治療ユニットへの固定は、マグネット或いは両面接着テープ等着脱可能な所望の固定手段を用いることができる。更には、図１（Ｄ）に４２にて示すように、基台４０から固定用のアーム（可撓性あるいは剛体）を延ばし、該アーム４２の先端を歯科治療ユニットの所望の箇所に設けられた固定具或いは固定用の穴に挿入するようにすることもできる。
【００１５】
【発明の効果】
以上の説明から明らかなように、本発明によると、根尖位置検出ユニットをその場、その場に応じて歯科治療ユニットの所望の位置（作業しやすい位置）に装着して根尖位置（根尖長）を検出することができ、更には、表示部を一番見やすい位置に回動して作業をすることができるので、作業効率が格段に向上し、疲労も少ない。
【図面の簡単な説明】
【図１】本発明による根尖位置検出ユニットの使用形態を説明するための図である。
【図２】本発明による根尖位置検出ユニットが装着される歯科治療ユニットの一例を示す図である。
【図３】根尖位置検出ユニット例を説明するための図である。
【符号の説明】
４０…基台、４１…歯科治療ユニット或いは基台４０に設けられた突起部、５０…根尖位置検出ユニット、５１…基体部、５２…突起部４１に挿入される凹部、５３…表示部、５４…コード収納部。
【図１】
0003597019.tif 000002
【図２】
0003597019.tif 000003
【図３】
0003597019.tif 000004